(57)【要約】 【課題】  ラインセンサの出力を遅延させる遅延時間の基準となるラインセンサを任意に選択することができる画像読取装置を提供する。【解決手段】  主制御部２１は、主制御部２１に含まれる半導体メモリなどのメモリに設定されているラインセンサ特定情報が示すラインセンサ、つまりＣＴＦ値が最も悪いラインセンサを基準ラインセンサとして選択する。基準ラインセンサは、遅延時間を読み取り周期の整数倍の時間にするラインセンサである。主制御部２１は、選択された基準ラインセンサを基準にし、画像の縮小倍率に応じて各ラインセンサの遅延時間を算出し、算出した各ラインセンサの遅延時間を対応するラインメモリユニットに指示する。各ラインメモリユニットは、各ラインセンサの出力を主制御部２１から指示された遅延時間だけ遅延させ、主制御部２１から指示された重み付け値で補間を行なって、画像処理部２２に送る。【選択図】      図１
2007158846.tif 000002
【特許請求の範囲】
【請求項１】
直線状に並んだ画素からなるライン単位で画像を読み取り、並列に配置される複数のラインセンサと、
ラインセンサが予め定める読み取り周期で読み取った画像の出力を遅延させるラインセンサ毎の遅延手段と、
ラインセンサの出力を読み取り周期の整数倍の時間遅延させる遅延手段に対応するラインセンサを前記複数のラインセンサの中から基準ラインセンサとして１つ選択し、選択した基準ラインセンサを基準にして各遅延手段に遅延させる遅延時間を算出し、さらに算出した遅延時間を各遅延手段に指示する制御手段とを含み、
前記複数のラインセンサのうちいずれのラインセンサでも基準ラインセンサとして選択可能としたことを特徴とする画像読取装置。
【請求項２】
前記制御手段は、ラインセンサの出力を評価するための評価値が最も悪いラインセンサを基準ラインセンサとして選択することを特徴とする請求項１に記載の画像読取装置。
【請求項３】
画像とラインセンサとの相対的な移動速度を画像が縮小される縮小倍率に応じた移動速度に上げて画像を読み取る際の各遅延手段の遅延時間を、予め定める縮小倍率毎に各ラインセンサを基準ラインセンサとしたラインセンサ別に算出した遅延時間情報を記憶する記憶手段をさらに含み、
前記制御手段は、基準ラインセンサとして選択されたラインセンサの遅延時間情報が示す縮小倍率に対応する遅延時間を各遅延手段に指示することを特徴とする請求項１に記載の画像読取装置。
【請求項４】
前記評価値が最も悪いラインセンサを特定するラインセンサ特定情報が設定される設定手段を含み、
前記制御手段は、設定手段に設定されたラインセンサ特定情報によって特定されるラインセンサを基準ラインセンサとして選択することを特徴とする請求項２に記載の画像読取装置。
【請求項５】
前記評価値は、ＣＴＦ測定によって求められる評価値であることを特徴とする請求項２に記載の画像読取装置。
【請求項６】
直線状に並んだ画素からなるライン単位で画像を読み取り、並列に配置される複数のラインセンサの出力を評価するための評価値を算出する評価値算出工程と、
前記複数のラインセンサのうち評価値算出工程で算出された評価値が最も悪いラインセンサを、ラインセンサによって予め定める読み取り周期で読み取られた画像の出力が読み取り周期の整数倍の時間遅延される基準ラインセンサとして選択する選択工程と、
選択工程で選択された基準ラインセンサを基準にして各ラインセンサが読み取った画像の出力を遅延させる遅延時間を算出し、算出した遅延時間を各ラインセンサの出力を遅延させるための遅延部に指示する制御工程とを含むことを特徴とする画像読取方法。
【発明の詳細な説明】
【技術分野】
【０００１】
本発明は、原稿などの画像を読み取る画像読取装置および方法に関する。
【背景技術】
【０００２】
画像読取装置、たとえば複写機あるいはファクシミリなどの画像形成装置に含まれる画像読取装置は、画像を高速に読み取るために、画像をライン単位で読み取るラインセンサを用いる。カラーの原稿を読み取る画像読取装置は、複数のラインセンサたとえばＲＧＢ
（Red-Green-Blue）の３色をそれぞれ読み取るラインセンサを用いて原稿を読み取る。
【０００３】
図７は、第１の従来の技術による画像読取装置９の構成を模式的に示す。画像読取装置９は、原稿読取部９０、本体部２０、および原稿台３１を含み、原稿読取部９０によって原稿台３１に載置された原稿３０を読み取り、読み取った画像情報は本体部２０に送られ記憶される。
【０００４】
原稿読取部９０は、ＣＣＤ（Charge Coupled Device）１１、ラインメモリユニットＧ１６、およびラインメモリユニットＲ１７を含む。ＣＣＤ１１は、原稿３０に光を照射するランプユニットを含むスキャナに含まれ、原稿台３１に載置された原稿３０を読み取る。図７に示した画像読取装置９では、スキャナに対して原稿３０を副走査方向に移動させて、画像を読み取っているが、原稿３０を固定しておいて、スキャナを移動させてもよい。
【０００５】
ＣＣＤ１１は、ＲＧＢの３色用の３つのラインセンサ１１ａ〜１１ｃを含み、３つのラインセンサ１１ａ〜１１ｃは、副走査方向つまり原稿３０が移動する方向に直交する方向に並列に配置されている。原稿３０の読み取り個所Ａは、ラインセンサ１１ａ〜１１ｃの読み取り位置を順次通過し、各ラインセンサに読み取られる。すなわち読み取り個所Ａの画像は、ラインセンサ１１ａ、ラインセンサ１１ｂ、およびラインセンサ１１ｃの順序で読み取られる。
【０００６】
ラインメモリユニットＧ１６は、４ライン分のラインメモリを含み、ラインセンサ１１ｂの出力を最大４ライン分遅延させることができる。ラインメモリユニットＲ１７は、８ライン分のラインメモリを含み、ラインセンサ１１ａの出力を最大８ライン分遅延させることができる。ラインメモリユニットＧ１６およびラインメモリユニットＲ１７で遅延される遅延時間は、主制御部２１からの指示で変更される。ラインメモリユニットＧ１６の出力、ラインメモリユニットＲ１７の出力、およびラインセンサ１１ｃの出力は、画像処理部２２に送られる。ラインセンサ１１ｃは、一番遅く画像が読み取られるので、ラインセンサ１１ｃの出力は、遅延させる必要がなく、ラインセンサ１１ｃの後段にラインメモリユニットはない。
【０００７】
本体部２０は、原稿読取部９０を制御する主制御部２１、ラインメモリユニットＧ１６、ラインメモリユニットＲ１７、およびラインセンサ１１ｃの出力つまり画像情報を原稿読取部９０から受け取り、受け取った画像情報に対して画像処理を行いあるいは受け取った画像情報を画像メモリ２３に記憶する画像処理部２２、画像処理部２２から指示された情報、たとえば画像情報を記憶する半導体メモリなどで構成される画像メモリ２３、利用者が画像読取装置９に対する指示を与える操作ボタンおよび利用者への情報を表示する液晶ディスプレイなどを含む操作表示部２４、および画像処理部２２から指示された情報を印刷紙などに出力する印字部２５を含む。
【０００８】
図８は、図７に示したラインセンサ１１ａ〜１１ｃの位置関係と出力の時間関係を示す。図８（ａ）は、ラインセンサ１１ａ〜１１ｃの位置関係を示す。ラインセンサ１１ａ〜１１ｃは、時間差Ｔの間隔で並列に配置されている。原稿３０は、原稿３０ａの位置から原稿３０ｂの位置に進み、さらに原稿３０ｃの位置に進む。図８（ａ）では、原稿３０を各ラインセンサ（以下ＣＣＤラインセンサともいう）と離れた位置に記載しているが、実際は、各ラインセンサの位置を通過する。
【０００９】
図８（ｂ）は、ラインセンサ１１ａ〜１１ｃが画像を読み取る読み取りタイミングを示すタイムチャートである。上から順にラインセンサ１１ａつまりＲの色を読み取るラインセンサの読み取りタイミング、２番目がラインセンサ１１ｂつまりＧの色を読み取るラインセンサの読み取りタイミング、および３番目がラインセンサ１１ｃつまりＢの色を読み取るラインセンサの読み取りタイミングである。
【００１０】
読み取りタイミングを示すクロックの１周期つまり読み取り周期ｔは、ＣＣＤラインセンサが１ライン分の画像を読み取ってから次の１ライン分の画像を読み取るまでの時間である。ラインセンサ１１ａとラインセンサ１１ｂとの時間差およびラインセンサ１１ｂとラインセンサ１１ｃとの時間差は、ともに時間差Ｔであり、等倍モードつまり画像の縮小あるいは拡大を行わないモードでは、時間差Ｔ＝４ｔである。すなわち、ラインセンサ１１ａの出力は、ラインセンサ１１ｃの出力に対して時間８ｔの遅延が必要であり、ラインセンサ１１ｂの出力は、ラインセンサ１１ｃの出力に対して時間４ｔの遅延が必要である。このとき、ラインセンサ１１ａとラインセンサ１１ｂとの距離およびラインセンサ１１ｂとラインセンサ１１ｃとの距離は、原稿３０が移動する速度と時間４ｔとを積算した距離である。
【００１１】
画像を形成する際、形成する画像のサイズを、原稿サイズに対して自由なサイズに拡大あるいは縮小することができる画像形成装置がある。画像を縮小する際、ラインセンサを含むスキャナの原稿に対する相対的な移動速度を、縮小する倍率に応じて速くして画像を読み取ることがある。同じ位置の画像を読み取った各ラインセンサの出力間の時間差は、スキャナ部の移動速度に反比例するので、ラインセンサの出力の遅延時間も移動速度に応じて変化させる必要がある。たとえば複写倍率が５０％つまりスキャナ部の移動速度が２倍のとき、Ｒのラインセンサ１１ａの出力とＢのラインセンサ１１ｃの出力との時間差（以下ＲＢ間と略す）は、等倍モードでの時間差の１／２つまりＴ＝４ｔになり、Ｇのラインセンサ１１ｂの出力とＢのラインセンサ１１ｃの出力との時間差（以下ＧＢ間と略す）は、Ｔ＝２ｔになる。すなわち、複写倍率が５０％の場合、遅延時間を等倍モードの１／２にする必要がある。
【００１２】
縮小するサイズは、たとえば１％刻みで変更可能であり、移動速度も１％刻みで変化させるので、遅延時間も縮小サイズの１％刻みに対応する遅延時間にする必要がある。たとえば縮小倍率８８％の場合、遅延時間は等倍モードの遅延時間を０．８８倍した遅延時間にする必要がある。すなわちＲＢ間の遅延時間は、８ｔ×０．８８＝７．０４ｔ、ＧＢ間の遅延時間は、４ｔ×０．８８＝３．５２ｔとなる。この場合、Ｒのラインセンサ１１ａの出力を約７．０遅延させ、Ｇのラインセンサ１１ｂの出力を約３．５ｔ遅延させ必要がある。
【００１３】
しかしながら、読み取られる画像は、読み取り周期１ｔ間隔であるので時間差が３．５ｔである画像は読み取られていない。時間差が読み取り周期ｔの整数倍でないとき、たとえば時間差が３．５ｔであるときは、時間差が読み取り周期ｔの整数倍である前後の画像による補間によって、時間差が３．５ｔである補間データを計算で求める。
【００１４】
図９は、図７に示したラインメモリユニットＲ１７の構成を示す。ラインメモリユニットＲ１７は、８つのラインメモリ１７１、セレクタＡ１７２、セレクタＢ１７３、および補間データ作成ユニット１７４を含む。
【００１５】
８つのラインメモリ１７１は、直列に接続され、初段のラインメモリに入力されたＣＣＤラインセンサ１１ａからの出力を、１ライン分つまり読み取り周期ｔ時間分遅延させる。初段のラインメモリの出力は、次のラインメモリに入力される。以下８番目のラインメモリまでそれぞれ１つ前のラインメモリの出力が入力される。いずれのラインメモリも、入力を１ライン分つまり読み取り周期ｔ時間分遅延させる。
【００１６】
ＣＣＤラインセンサ１１ａからの出力および８つのラインメモリ１７１の出力は、セレクタＡ１７２およびセレクタＢ１７３にも入力される。セレクタＡ１７２およびセレクタＢ１７３は、９つの入力の中から、それぞれ主制御部２１から指示される「セレクト値１」および「セレクト値２」が示す入力を選択して出力する。セレクタＡ１７２およびセレクタＢ１７３の出力は、補間データ作成ユニット１７４に入力される。
【００１７】
補間データ作成ユニット１７４は、セレクタＡ１７２の出力「値Ａ」とセレクタＢ１７３の出力「値Ｂ」との補間データを、主制御部２１から指示される「重み付け値」に基づいて生成して出力する。具体的には、「値Ａ」に（１−「重み付け値」）を乗算し、「値Ｂ」に「重み付け値」を乗算し、さらにそれらの和を補間データとして得る。重み付け値は、遅延量の少数点以下の数値である。遅延量は、遅延時間を読み取り周期ｔで除算した値であり、単位はラインである。
【００１８】
たとえば、たとえば遅延量が３．７ラインつまり遅延時間が３．７ｔである場合、主制御部２１は、セレクタＡ１７２に対して３ライン分遅延されたラインメモリの出力を選択することを示す「セレクト値１」を指示し、セレクタＢ１７３に対して４ライン分遅延されたラインメモリの出力を選択することを示す「セレクト値２」を指示する。セレクタＡ１７２は、３番目のラインメモリの出力を選択して「値Ａ」として出力し、セレクタＢ１７３は、４番目のラインメモリの出力を選択して「値Ｂ」として出力する。
【００１９】
次に主制御部２１は、補間データ作成ユニット１７４に「重み付け値」、たとえば「０．７」を指示する。セレクタＡ１７２の出力「値Ａ」およびセレクタＢ１７３の出力「値Ｂ」を、たとえばそれぞれ「１００」および「５０」とすると、補間データ作成ユニット１７４は、セレクタＡ１７２の出力「１００」の３０％とセレクタＢ１７３の出力「５０」の７０％とを加算することによって補間データを求める。つまり、補間データは、計算式１００×０．３＋５０×０．７から「６５」になる。
【００２０】
第２の従来の技術として、Ｒ成分、Ｇ成分、およびＢ成分に色分解された光を電気信号に変換する３つのＣＣＤラインセンサの相対的な位置ずれを、位置ずれ量に応じて各ＣＣＤラインセンサからの電気信号を遅延させることによって補正し、色ずれのない出力画像を形成することができるカラー画像形成装置がある（たとえば特許文献１参照）。
【００２１】
【特許文献１】特開平５−７５７９２号公報
【発明の開示】
【発明が解決しようとする課題】
【００２２】
第１の従来の技術は、最も遅く画像を読み取るＢの色のラインセンサを基準にして、ＲおよびＧの色のラインセンサの出力を遅延させているので、画像を縮小したときの遅延量が整数でないと、遅延が行われるＲおよびＧのラインセンサの出力に対して補間が行われる。一般に補間を行なうと、画質が低下する。画質の低下は、具体的には文字などにおける細線の色彩変化として顕著に現れる。たとえば黒文字に色がついたり、色文字が黒くなったりする。この場合、補間を行わないラインセンサ、つまりラインセンサの出力を遅延させる遅延量の基準となるラインセンサを任意に選択することができないという問題があるために、補間が行われるラインセンサの出力が低下していると、画質がさらに悪くなってしまう。
【００２３】
第２の従来の技術は、ＣＣＤラインセンサの製造時の位置ずれによる色ずれの発生を、各ＣＣＤラインセンサの出力を位置ずれ量に応じて遅延させることによって、少なくするものである。各ＣＣＤラインセンサの位置ずれに応じて個々に遅延させるものであって、ＣＣＤラインセンサ間の読み取り時間差を調整するものではなく、ラインセンサの出力の遅延量の基準となるラインセンサを用いるものではない。
【００２４】
本発明の目的は、ラインセンサの出力を遅延させる遅延時間の基準となるラインセンサを任意に選択することができる画像読取装置および方法を提供することである。
【課題を解決するための手段】
【００２５】
本発明は、直線状に並んだ画素からなるライン単位で画像を読み取り、並列に配置される複数のラインセンサと、
ラインセンサが予め定める読み取り周期で読み取った画像の出力を遅延させるラインセンサ毎の遅延手段と、
ラインセンサの出力を読み取り周期の整数倍の時間遅延させる遅延手段に対応するラインセンサを前記複数のラインセンサの中から基準ラインセンサとして１つ選択し、選択した基準ラインセンサを基準にして各遅延手段に遅延させる遅延時間を算出し、さらに算出した遅延時間を各遅延手段に指示する制御手段とを含み、
前記複数のラインセンサのうちいずれのラインセンサでも基準ラインセンサとして選択可能としたことを特徴とする画像読取装置である。
【００２６】
本発明に従えば、並列に配置される複数のラインセンサによって、直線状に並んだ画素からなるライン単位で画像が読み取られ、ラインセンサ毎の遅延手段によって、ラインセンサが予め定める読み取り周期で読み取った画像の出力が遅延され、制御手段によって、いずれのラインセンサでも基準ラインセンサとして選択可能とされた前記複数のラインセンサの中から、ラインセンサの出力を読み取り周期の整数倍の時間遅延させる遅延手段に対応するラインセンサが、基準ラインセンサとして１つ選択され、選択された基準ラインセンサを基準にして各遅延手段に遅延させる遅延時間が算出され、さらに算出された遅延時間が各遅延手段に指示される。
【００２７】
このように、すべてのラインセンサにラインセンサの出力を遅延するための遅延手段を設けているので、ラインセンサの出力の遅延時間の基準となるラインセンサたとえば補間を行わなくてもよいラインセンサを任意に選択することができる。
【００２８】
また本発明は、前記制御手段は、ラインセンサの出力を評価するための評価値が最も悪いラインセンサを基準ラインセンサとして選択することを特徴とする。
【００２９】
本発明に従えば、評価値の最も悪いラインセンサを基準ラインセンサつまりラインセンサが画像を読み取る読み取り周期の整数倍の時間出力を遅延させるラインセンサにするので、評価値の最も悪いラインセンサの出力の補間を行なう必要がなく、補間による出力の悪化を防ぐことができる。
【００３０】
また本発明は、画像とラインセンサとの相対的な移動速度を画像が縮小される縮小倍率に応じた移動速度に上げて画像を読み取る際の各遅延手段の遅延時間を、予め定める縮小倍率毎に各ラインセンサを基準ラインセンサとしたラインセンサ別に算出した遅延時間情報を記憶する記憶手段をさらに含み、
前記制御手段は、基準ラインセンサとして選択されたラインセンサの遅延時間情報が示す縮小倍率に対応する遅延時間を各遅延手段に指示することを特徴とする。
【００３１】
本発明に従えば、各ラインセンサの出力を遅延させる遅延時間を、予め定める縮小倍率毎に各ラインセンサを基準ラインセンサとしたラインセンサ別に算出した遅延時間情報を記憶手段に記憶しているので、縮小倍率が指示されると、記憶手段に記憶された遅延時間情報から遅延時間を求めることができる。
【００３２】
また本発明は、前記評価値が最も悪いラインセンサを特定するラインセンサ特定情報が設定される設定手段を含み、
前記制御手段は、設定手段に設定されたラインセンサ特定情報によって特定されるラインセンサを基準ラインセンサとして選択することを特徴とする。
【００３３】
本発明に従えば、設定手段に設定されたラインセンサ特定情報つまり評価値が最も悪いラインセンサを特定するための情報に基づいて、基準となるラインセンサが選択されるので、ラインセンサ特定情報を設定手段に設定しておくだけで、評価値が最も悪いラインセンサを基準のラインセンサとすることができる。
【００３４】
また本発明は、前記評価値は、ＣＴＦ測定によって求められる評価値であることを特徴とする。
【００３５】
本発明に従えば、評価値が、ＣＴＦ測定によって求められる評価値、つまり白地に幅の広い黒い矩形と幅の狭い黒い矩形が形成された基本チャートを読み取った各ラインセンサの出力値を加減乗除するだけで求められる評価値であるので、同じ基準で容易に評価することができる。
【００３６】
また本発明は、直線状に並んだ画素からなるライン単位で画像を読み取り、並列に配置される複数のラインセンサの出力を評価するための評価値を算出する評価値算出工程と、
前記複数のラインセンサのうち評価値算出工程で算出された評価値が最も悪いラインセンサを、ラインセンサによって予め定める読み取り周期で読み取られた画像の出力が読み取り周期の整数倍の時間遅延される基準ラインセンサとして選択する選択工程と、
選択工程で選択された基準ラインセンサを基準にして各ラインセンサが読み取った画像の出力を遅延させる遅延時間を算出し、算出した遅延時間を各ラインセンサの出力を遅延させるための遅延部に指示する制御工程とを含むことを特徴とする画像読取方法である。
【００３７】
本発明に従えば、評価値算出工程では、直線状に並んだ画素からなるライン単位で画像を読み取るラインセンサであって並列に配置される複数のラインセンサの出力を評価するための評価値を算出し、選択工程では、前記複数のラインセンサのうち評価値算出工程で算出された評価値が最も悪いラインセンサを、ラインセンサによって予め定める読み取り周期で読み取られた画像の出力が読み取り周期の整数倍の時間遅延される基準ラインセンサとして選択し、制御工程では、選択工程で選択された基準ラインセンサを基準にして各ラインセンサが読み取った画像の出力を遅延させる遅延時間を算出し、算出した遅延時間を各ラインセンサの出力を遅延させるための遅延部に指示する。
【００３８】
このように、評価値の最も悪いラインセンサを基準ラインセンサつまりラインセンサが画像を読み取る読み取り周期の整数倍の時間出力を遅延させるラインセンサにするので、評価値の最も悪いラインセンサの出力の補間を行なう必要がなく、補間による出力の悪化を防ぐことができる。
【発明の効果】
【００３９】
本発明によれば、ラインセンサの出力の遅延時間の基準となるラインセンサを任意に選択することができるので、出力の低いラインセンサがあっても、そのラインセンサを基準となるラインセンサに選択することによって、各ラインセンサに対応する色たとえばＲＧＢの鮮明さをほぼ均一にすることができる。
【００４０】
また本発明によれば、評価値の最も悪いラインセンサの出力の補間を行なう必要がなく、補間による出力の悪化を防ぐことができるので、画像を縮小するために移動速度を上げて読み取る際に、評価値の悪いラインセンサがあっても、補間によって生じる細線の色彩変化を抑えることができる。
【００４１】
また本発明によれば、縮小倍率が指示されると、記憶手段に記憶された遅延時間情報から遅延時間を求めることができるので、計算を行なうことなく短時間に遅延時間を求めることができる。
【００４２】
また本発明によれば、ラインセンサ特定情報が設定された設定手段が設けられた原稿読取部を購入すれば、主制御手段を含む本体部に原稿読取部を接続するだけで、本体部は基準になるラインセンサを選択することができるので、本体部に原稿読取部を接続する際に、評価値が最も悪いラインセンサを設定する必要がなく、生産性の向上を図ることができる。
【００４３】
また本発明によれば、同じ基準で容易に評価することができるので、ＣＴＦを測定する測定者が異なっても同じ評価値を容易に求めることができる。
【００４４】
また本発明によれば、評価値の最も悪いラインセンサの出力の補間を行なう必要がなく、補間による出力の悪化を防ぐことができるので、画像を縮小するために移動速度を上げて読み取る際に、評価値の悪いラインセンサがあっても、補間によって生じる細線の色彩変化を抑えることができる。
【発明を実施するための最良の形態】
【００４５】
図１は、本発明の実施の形態である画像読取装置１の概略の構成を示す。画像読取装置１は、たとえばスキャナ装置などの単体の画像読取装置または複写機もしくはファクシミリなどの画像形成装置に含まれる画像読取装置である。画像読取装置１は、原稿読取部１０、本体部２０、および原稿台３１を含み、原稿読取部１０によって原稿台３１に載置された原稿３０を読み取り、読み取った画像情報は本体部２０に送られ記憶される。
【００４６】
原稿読取部１０は、ＣＣＤ（Charge Coupled Device）１１、ラインメモリユニットＢ１２、ラインメモリユニットＧ１３、およびラインメモリユニットＲ１４を含む。ＣＣＤ１１は、原稿３０に光を照射する図示しないランプユニットを含む図示しないスキャナに含まれ、原稿台３１に載置された原稿３０を読み取る。図１に示した画像読取装置１では、スキャナに対して原稿３０を副走査方向に移動させて、画像を読み取っているが、原稿３０を固定しておいて、スキャナを移動させてもよい。スキャナは、原稿読取部１０に含まれる。
【００４７】
ＣＣＤ１１は、ＲＧＢ（Red-Green-Blue）の３色用の３つのラインセンサ１１ａ〜１１ｃを含み、３つのラインセンサ１１ａ〜１１ｃは、副走査方向つまり原稿３０が移動する方向に直交する方向に並列に配置されている。原稿３０は、ラインセンサ１１ａ〜１１ｃの読み取り位置を順次通過し、各ラインセンサに読み取られる。すなわち同じ位置の画像は、ラインセンサ１１ａ、ラインセンサ１１ｂ、およびラインセンサ１１ｃの順序で読み取られる。
【００４８】
ラインセンサ１１ａ〜１１ｃの位置関係および出力の時間関係は、たとえば図８に示したラインセンサ１１ａ〜１１ｃの位置関係と出力の時間関係と同じであるので、詳細な説明は省略する。
【００４９】
ラインセンサ１１ａ〜１１ｃは、時間差Ｔの間隔で並列に配置されている。読み取りタイミングを示すクロックの１周期つまり読み取り周期ｔは、ＣＣＤラインセンサが１ライン分の画像を読み取ってから次の１ライン分の画像を読み取るまでの時間である。等倍モードつまり画像の縮小あるいは拡大を行わないモードでは、時間差Ｔ＝４ｔとなる。すなわち、ラインセンサ１１ａの出力は、ラインセンサ１１ｃの出力に対して時間８ｔの遅延が必要であり、ラインセンサ１１ｂの出力は、ラインセンサ１１ｃの出力に対して時間４ｔの遅延が必要である。このとき、ラインセンサ１１ａとラインセンサ１１ｂとの距離およびラインセンサ１１ｂとラインセンサ１１ｃとの距離は、原稿３０が移動する速度と時間４ｔとを積算した距離である。
【００５０】
ラインメモリユニットＢ１２は、１ライン分のラインメモリを含み、ラインセンサ１１ｃの出力を最大１ライン分遅延させることができる。ラインメモリユニットＧ１３は、５ライン分のラインメモリを含み、ラインセンサ１１ｂの出力を最大５ライン分遅延させることができる。ラインメモリユニットＲ１４は、９ライン分のラインメモリを含み、ラインセンサ１１ａの出力を最大９ライン分遅延させることができる。ラインメモリユニットＢ１２、ラインメモリユニットＧ１３、およびラインメモリユニットＲ１４で遅延される遅延時間は、主制御部２１からの指示で変更される。ラインメモリユニットＢ１２の出力、ラインメモリユニットＧ１３の出力、およびラインメモリユニットＲ１４の出力は、画像処理部２２に送られる。
【００５１】
これらのラインメモリユニットの構成は、図９に示したラインメモリユニット１７に含まれるラインメモリの数が異なるだけで他の部分は共通である。ラインメモリユニットＢ１２のラインメモリの数は１つ、ラインメモリユニットＧ１３のラインメモリの数は５つ、およびラインメモリユニットＲ１４のラインメモリの数は９つである。このように、Ｂの色のラインセンサ１１ｃの出力に対してもラインメモリユニットを設けているので、Ｂの色のラインセンサ１１ｃの出力も遅延させることができる。すなわち、Ｂの色のラインメモリ１１ｃの出力に対しても補間データを生成することができるので、ＲまたはＧの色のラインセンサを基準のラインセンサとすることができる。
【００５２】
本体部２０は、原稿読取部１０を制御する制御手段である主制御部２１、ラインメモリユニットの出力つまり画像情報を原稿読取部１０から受け取り、受け取った画像情報に対して画像処理を行いあるいは受け取った画像情報を画像メモリ２３に記憶する画像処理部２２、画像処理部２２から指示された情報、たとえば画像情報を記憶する半導体メモリなどで構成される画像メモリ２３、利用者が画像読取装置１に対する指示を与える操作ボタンおよび利用者への情報を表示する液晶ディスプレイなどを含む操作表示部２４、および画像処理部２２から指示された情報を印刷紙などに出力する印字部２５を含む。
【００５３】
このように、画像を最も遅く読み取るＢの色のラインセンサにも、ラインセンサの出力を遅延するためのラインメモリユニットつまり遅延手段を設けているので、すなわちすべてのラインセンサにラインセンサの出力を遅延するための遅延手段を設けているので、ラインセンサの出力の遅延時間の基準となるラインセンサたとえば補間を行わなくてもよいラインセンサを任意に選択することができる。したがって、出力の低いラインセンサがあっても、そのラインセンサを基準となるラインセンサに選択することによって、各ラインセンサに対応する色たとえばＲＧＢの鮮明さをほぼ均一にすることができる。
【００５４】
一般的にＲＧＢの各ラインセンサは、同じ構成であっても、光学系の特性に差があるので、許容の範囲内ではあるがラインセンサの出力に差が出る。この出力の差を評価するためにＣＴＦ（Contrast Transfer Function）を用いる。
【００５５】
図２は、図１に示したＣＣＤ１１の出力を評価するためのＣＴＦの求め方を示す。ＣＴＦは、ラインセンサの出力を評価するための評価値であり、たとえば白地に幅の広い黒い矩形と幅の狭い黒い矩形形成された基本チャートをＣＣＤ１１のラインセンサで読み取って、それぞれの出力値を比較することによって求めることができる。
【００５６】
図２（ａ）は、理想の出力に最も近い出力を得るために十分幅の広い黒い矩形をＣＣＤ１１のラインセンサに読み取らせたときの出力値を示す。理想値つまり理想の出力値は、白地部分を読み取った出力値がＭＡＸ値８０、および黒い矩形部分を読み取った出力値がＭＩＮ値２０の矩形型の出力である。ラインセンサの出力は、白地から黒い矩形に移る過渡期および黒い矩形から白地に移る過渡期に、応答特性に依存するなまりがあるが、過渡期以外の期間では、理想値と同様に、白地部分を読み取った出力値がＭＡＸ値８０、および黒い矩形部分を読み取った出力値がＭＩＮ値２０である。
【００５７】
図２（ｂ）は、幅の狭い黒い矩形をＣＣＤ１１のラインセンサに読み取らせたときの出力値を示す。黒い矩形の幅は、各ラインセンサの読み取り能力の差を判別することができる程度、具体的には、黒い矩形部を読み取ったときのラインセンサの出力値に、ラインセンサの良否による差が現れる程度に狭い幅である。ラインセンサの出力は、白地部分を読み取った出力値がＭＡＸ値８０、および黒い線部分を読み取った出力値がＭＩＮ値４０である。
【００５８】
図２（ｃ）は、ＣＴＦ値を求める演算式を示している。幅の広い黒い矩形を読み取ったときのＭＡＸ値とＭＩＮ値との差をａ、幅の狭い黒い矩形を読み取ったときのＭＡＸ値とＭＩＮ値との差をｂとすると、ＣＴＦ値はｂをａで除算することによって求められる。図２（ａ）からａ＝８０−２０＝６０であり、図２（ｂ）からｂ＝８０−４０＝４０である。したがって、ＣＴＦ値は、４０／６０であり、約６７％となる。
【００５９】
ＣＴＦの測定は、たとえば出荷前、画像読取装置１０が組み上がった段階で、ＣＣＤ１１の各ラインセンサについて測定される。ＣＴＦの測定結果に基づいて、ＣＴＦ値の悪いラインセンサを特定する。ＣＴＦ値が最も悪いラインセンサを特定するラインセンサ特定情報が操作表示部２４から入力され、入力されたラインセンサ特定情報は操作表示部２４から主制御部２１に送られ、主制御部２１は、受け取ったラインセンサ特定情報を、主制御部２１に含まれる図示しない半導体メモリなどのメモリに設定する。
【００６０】
画像を縮小する場合、原稿３０とＣＣＤ１１との相対的な移動速度を上げて読み取るので、Ｂのラインセンサ１１ｃに対するＲおよびＧのラインセンサの遅延時間は、画像を読み取る読み取りタイミングを示す読み取り周期ｔの整数倍の時間、すなわちラインセンサが１ライン分の画像を読み取ってから次の１ライン分の画像を読み取るまでの時間の整数倍の時間でなくなることがある。遅延時間が読み取り周期ｔの整数倍でないラインセンサの出力は、補間が必要になる。
【００６１】
ラインセンサユニットＢ１２、ラインセンサユニットＧ１３、およびラインセンサユニットＲ１４は、いずれも図９に示したセレクタＡ、セレクタＢ、および補間データ作成ユニットを有するので、いずれのラインセンサの出力も、補間を行なうことができる。
【００６２】
遅延時間の基準となる基準ラインセンサを、画像を最も遅く読み取るＢのラインセンサ１１ｃとすると、ＲおよびＧのラインセンサで補間が行われる。遅延時間の基準となるラインセンサをＧのラインセンサ１１ｂとすると、ＢおよびＲのラインセンサで補間が行われ、遅延時間の基準となるラインセンサをＲのラインセンサ１１ａとすると、ＧおよびＢのラインセンサで補間が行われる。基準ラインセンサの遅延時間は読み取り周期ｔの整数倍の時間とされるので、補間は必要でなく、補間が行われるのは、基準ラインセンサに対する遅延時間が、読み取り周期ｔの整数倍でないラインセンサである。
【００６３】
主制御部２１は、主制御部２１に含まれるメモリに設定されているラインセンサ特定情報が示すラインセンサ、つまりＣＴＦ値が最も悪いラインセンサを基準ラインセンサとして選択する。基準ラインセンサの遅延時間は、読み取り周期の整数倍の時間であるので、補間を行わなくてよく、補間による画質の低下を防ぐことができる。
【００６４】
主制御部２１は、選択された基準ラインセンサを基準にし、画像の縮小倍率に応じて各ラインセンサの遅延時間を算出する。具体的には、まず、基準となるラインセンサをＢのラインセンサ１１ｃとしたときの等倍モードでのＲのラインセンサ１１ａの遅延時間８ｔおよびＧのラインセンサ１１ｂの遅延時間４ｔに縮小倍率を乗算して、縮小倍率を勘案した遅延時間を算出する。次に、基準にするラインセンサの遅延時間が読み取り周期ｔの整数倍になるように各ラインセンサの遅延時間を調整する。
【００６５】
たとえば、縮小倍率を８８％としたとき、Ｂのラインセンサ１１ｃに対するＲのラインセンサ１１ａの遅延時間（以下ＲＢ間の遅延時間という）は、少数点２桁以下の端数を省略すると、７．０ｔであり、Ｂのラインセンサ１１ｃに対するＧのラインセンサ１１ｂの遅延時間（以下ＧＢ間の遅延時間という）は、少数点２桁以下の端数を省略すると、３．５ｔである。基準になるラインセンサをＧのラインセンサ１１ｂとすると、Ｇのラインセンサ１１ｂの遅延時間を読み取り周期ｔの整数倍とした後、各ラインセンサの遅延時間を調整する。
【００６６】
Ｇのラインセンサ１１ｂの遅延時間が読み取り周期ｔの整数倍になる遅延時間は、基準となるラインセンサがＢのラインセンサだったときのＧＢ間の遅延時間より大きくかつその遅延時間に最も近い整数倍の遅延時間とする。つまりＧＢ間の遅延時間が３．５ｔであるので、Ｇのラインセンサ１１ｂの遅延時間は４ｔとなる。Ｂのラインセンサ１１ｃの遅延時間は、ＧＢ間の遅延時間が３．５ｔであるので、Ｇのラインセンサ１１ｂの遅延時間４ｔから３．５ｔを減算して、０．５ｔとなる。Ｒのラインセンサ１１ａの遅延時間は、ＲＢ間の遅延時間が７ｔおよびＧＢ間の遅延時間が３．５ｔであるので、つまりＲＧ間の遅延時間が３．５ｔであるので、Ｇのラインセンサ１１ｂの遅延時間４ｔにその３．５ｔを加算して、７．５ｔとなる。
【００６７】
主制御部２１は、算出した各ラインセンサの遅延時間を対応するラインメモリユニットに指示する。各ラインメモリユニットは、各ラインセンサの出力を主制御部２１から指示された遅延時間だけ遅延させ、さらに主制御部２１から指示された重み付け値で補間を行なって、画像処理部２２に送る。主制御部２１から指示される重み付け値が「０」または「１」であるときは、補間無しのデータが出力される。
【００６８】
図３は、図１に示した各ラインメモリユニットの出力値の時間推移を示す。黒い矩形の画像（以下ＢＫ画像と略す）を、ＲＧＢの各ラインセンサで読み取らせたときの各ラインメモリユニットの出力値の時間推移を示している。図３（ａ）は、ＲＧＢすべての出力値が理想的な場合を示している。ＲＧＢいずれの出力値も、ＢＫ画像の中心付近の位置で最も低い出力値を示している。このとき、ＲＧＢのラインセンサの出力のＣＴＦ値はいずれも高い値で一致する。
【００６９】
図３（ｂ）は、Ｇのラインセンサ１１ｂの出力のＣＴＦ値が悪い場合を示しており、いずれのラインセンサの出力も補間は行われていない。Ｇの出力値が、ＢＫ画像の中心付近の位置で、図３（ａ）に示したＧの出力値に比べて少し高くなっている。このＲＧＢの出力値を基に印字すると、Ｃ（Cyan）成分とＹ（Yellow）成分が、Ｍ（Magenta）成分に比べて多くなるので、黒文字とはならずに、Ｃ成分とＹ成分が多い色の文字となってしまう。
【００７０】
図３（ｃ）は、ＣＴＦ値が悪いＧのラインセンサ１１ｂの出力とＲのラインセンサ１１ａの出力とを従来の技術によって補間した場合を示している。すなわち画像を最も遅く読み取るＢのラインセンサを基準にした場合である。Ｇの出力値が、補間によって、図３（ｂ）に示したＧの出力値よりもＢＫ画像の中心付近の位置で少し高くなり、さらにＲの出力値も、補間によって、図３（ｂ）に示したＲの出力値よりもＢＫ画像の中心付近の位置で少し高くなっている。補間によって、Ｇの色の鮮鋭さがさらに低下し、色彩変化の度合いが悪化している。
【００７１】
図３（ｄ）は、本発明を適用し、ＣＴＦ値が悪いＧのラインセンサ１１ｂを基準のラインセンサにした場合を示している。Ｒのラインセンサ１１ａの出力およびＢのラインセンサ１１ｃの出力を補間している。Ｒの出力値が、補間によって、図３（ｂ）に示したＲの出力値よりもＢＫ画像の中心付近の位置で少し高くなり、さらにＢの出力値も、補間によって、図３（ｂ）に示したＢの出力値よりもＢＫ画像の中心付近の位置で少し高くなっている。ＲＧＢの出力値が、ＢＫ画像の中心付近の位置でほぼ同じ程度の値になっている。したがって、Ｇの色の鮮鋭さの悪化を防いで、ＲおよびＢの色の鮮鋭さをＧの色の鮮鋭さに近づけることによって、色彩の変化を抑えることができる。
【００７２】
このように、評価値の最も悪いラインセンサを基準ラインセンサつまりラインセンサが画像を読み取る読み取り周期の整数倍の時間出力を遅延させるラインセンサにするので、評価値の最も悪いラインセンサの出力の補間を行なう必要がなく、補間による出力の悪化を防ぐことができる。したがって、画像を縮小するために移動速度を上げて読み取る際に、評価値の悪いラインセンサがあっても、補間によって生じる細線の色彩変化を抑えることができる。
【００７３】
さらに、評価値が、ＣＴＦ測定によって求められる評価値、つまり白地に幅の広い黒い矩形と幅の狭い黒い矩形が形成された基本チャートを読み取った各ラインセンサの出力値を加減乗除するだけで求められる評価値であるので、同じ基準で容易に評価することができる。したがって、ＣＴＦを測定する測定者が異なっても同じ評価値を容易に求めることができる。
【００７４】
図４は、本発明の実施の第２の形態である画像読取装置１で用いられる遅延量テーブルを示す。画像読取装置１の構成は、図１に示した構成と同じであるが、主制御部２１は、たとえば図示しないＲＯＭ（Read Only Memory）などの半導体メモリを含み、このＲＯＭには遅延量テーブルが記憶されている。遅延量テーブルは、各ラインセンサの出力を遅延させる遅延量を、予め定める複写倍率毎たとえば縮小倍率毎に、各ラインセンサを基準ラインセンサとしたラインセンサ別にまとめたテーブルである。遅延量は、遅延時間を読み取り周期ｔで除算した値であり、読み取り周期ｔを１ラインに換算した値である。
【００７５】
図４（ａ）は、Ｂのラインセンサ１１ｃを基準としたときの各ラインセンサを遅延させる遅延量を示す。複写倍率５０％〜１００％間の１％刻みの複写倍率に対して、ＧＢ間の遅延量つまりＧのラインセンサ１１ｂのＢのラインセンサ１１ｃに対する遅延量、ＲＢ間の遅延量つまりＲのラインセンサ１１ａのＢのラインセンサ１１ｃに対する遅延量、およびＢのラインセンサの遅延量をライン数で示している。
【００７６】
たとえば複写倍率１００％のとき、ＧＢ間の遅延量は４ライン、ＲＢ間の遅延量は８ライン、およびＢのラインセンサの遅延量は０ラインである。複写倍率８８％のとき、それぞれ３．５ライン、７．０ライン、および０．０ラインであり、複写倍率５２％のとき、それぞれ２．１ライン、４．２ライン、および０．０ラインであり、複写倍率５１％のとき、それぞれ２．０ライン、４．１ライン、および０．０ラインであり、複写倍率５０％のとき、それぞれ２ライン、４ライン、および０ラインである。これらの遅延量は、複写倍率１００％の遅延量と複写倍率とを乗算することによって求めることができる。
【００７７】
図４（ｂ）は、Ｇのラインセンサ１１ｂを基準としたときの各ラインセンサを遅延させる遅延量を示す。複写倍率５０％〜１００％間の１％刻みの複写倍率に対して、ＧＢ間の遅延量、ＲＢ間の遅延量、およびＢのラインセンサの遅延量をライン数で示している。
【００７８】
たとえば複写倍率１００％のとき、ＧＢ間の遅延量は４ライン、ＲＢ間の遅延量は８ライン、およびＢのラインセンサの遅延量は０ラインである。複写倍率８８％のとき、それぞれ４．０ライン、７．５ライン、および０．５ラインであり、複写倍率５２％のとき、それぞれ３．０ライン、５．１ライン、および０．９ラインであり、複写倍率５１％のとき、それぞれ２．０ライン、４．１ライン、および０．０ラインであり、複写倍率５０％のとき、それぞれ２ライン、４ライン、および０ラインである。
【００７９】
図４（ｃ）は、Ｒのラインセンサ１１ａを基準としたときの各ラインセンサを遅延させる遅延量を示す。複写倍率５０％〜１００％間の１％刻みの複写倍率に対して、ＧＢ間の遅延量、ＲＢ間の遅延量、およびＢのラインセンサの遅延量をライン数で示している。
【００８０】
たとえば複写倍率１００％のとき、ＧＢ間の遅延量は４ライン、ＲＢ間の遅延量は８ライン、およびＢのラインセンサの遅延量は０ラインである。複写倍率８８％のとき、それぞれ３．５ライン、７．０ライン、および０．０ラインであり、複写倍率５２％のとき、それぞれ２．９ライン、５．０ライン、および０．８ラインであり、複写倍率５１％のとき、それぞれ２．９ライン、５．０ライン、および０．９ラインであり、複写倍率５０％のとき、それぞれ２ライン、４ライン、および０ラインである。
【００８１】
主制御部２１は、操作表示部２４から複写倍率が指示されると、この遅延量テーブルからラインセンサ毎の遅延量つまり遅延時間を求めて、各ラインメモリユニットに指示する。主制御部２１は、遅延量テーブルから各ラインセンサの遅延量を求めることができるので、複写倍率が指示される度に、遅延量を計算によって算出する必要がない。
【００８２】
このように、各ラインセンサの出力を遅延させる遅延量つまり遅延時間を、予め定める縮小倍率毎に、各ラインセンサを基準ラインセンサとしたラインセンサ別に算出した遅延時間情報つまり遅延量テーブルを記憶手段たとえば主制御部２１に含まれるメモリに記憶しているので、縮小倍率が指示されると、記憶手段に記憶された遅延時間情報から遅延時間を求めることができる。したがって、縮小倍率が指示されると、計算を行なうことなく短時間に遅延時間を求めることができる。
【００８３】
図５は、本発明の実施の第３の形態である画像読取装置２の概略の構成を示す。画像読取装置２は、原稿読取部４０、本体部２０、および図示しない原稿台３１を含み、原稿読取部４０によって原稿台３１に載置された原稿３０を読み取り、読み取った画像情報は本体部２０に送られ記憶される。本体部２０は、図１に示したものと同じであり、説明は省略する。
【００８４】
原稿読取部４０は、ＣＣＤ１１、ラインメモリユニットＢ１２、ラインメモリユニットＧ１３、ラインメモリユニットＲ１４、および設定部１５を含む。ＣＣＤ１１、ラインメモリユニットＢ１２、ラインメモリユニットＧ１３、およびラインメモリユニットＲ１４は、図１に示したものと同じであり、説明は省略する。
【００８５】
設定手段である設定部１５は、たとえばＤＩＰ  ＳＷ（Dual Inline Package Switch）つまりＤＩＰタイプのスイッチによって構成され、ＣＴＦ値の悪いラインセンサを特定するためのラインセンサ情報が設定される。設定部１５に設定されたラインセンサ特定情報は、主制御部２１が参照することができる。主制御部２１は、設定部１５に設定されたラインセンサ特定情報が示すラインセンサを基準のラインセンサとして、各ラインセンサの遅延時間を算出する。
【００８６】
図１に示した実施の形態では、ラインセンサ特定情報は、操作表示部２４から指示され、指示されたラインセンサ特定情報を主制御部２１に含まれるメモリに設定したが、第３の実施の形態では、原稿読取部４０に含まれる設定部１５に設定される。設定部１５への設定は、たとえば製造時原稿読取部４０が組み上がったときに行われる。まず各ラインセンサの出力のＣＴＦ値が求められ、求められたＣＴＦ値の中で最もＣＴＦ値が悪いラインセンサを決定する。次に、決定されたラインセンサを特定するためのラインセンサ特定情報が出力されるように、設定部１５たとえばＤＩＰ  ＳＷが設定される。具体的には、ＤＩＰ  ＳＷに各ラインセンサに対応するスイッチを設けておいて、ＣＴＦ値が最も悪いラインセンサのスイッチをオンにし、他のラインセンサのスイッチをオフにする。あるいは、各ラインセンサを識別するためのコードを決めておいて、そのコードを設定するようにしてもよい。
【００８７】
このように、設定手段である設定部１５に設定されたラインセンサ特定情報つまり評価値が最も悪いラインセンサを特定するための情報に基づいて、基準となるラインセンサが選択されるので、ラインセンサ特定情報を設定手段に設定しておくだけで、評価値が最も悪いラインセンサを基準のラインセンサとすることができる。したがって、ラインセンサ特定情報が設定された設定手段が設けられた原稿読取部を購入すれば、主制御手段を含む本体部に原稿読取部を接続するだけで、本体部は基準になるラインセンサを選択することができるので、本体部に原稿読取部を接続する際に、評価値が最も悪いラインセンサを設定する必要がなく、生産性の向上を図ることができる。
【００８８】
上述した実施の形態では、画像読取装置の製造時にＣＴＦを測定して、ラインセンサ特定情報を画像読取装置に設定したが、ＣＴＦ値を測定するための基本チャートたとえば幅の広い黒い矩形と幅の狭い黒い矩形を白地の紙に形成したチャートを画像読取装置に添付しておいて、保守などのときに、画像読取装置にその基本チャートを読み取らせて、各ラインセンサの出力値を測定させ、測定された出力値に基づいてＣＴＦ値を算出させてもよい。この場合、ＣＴＦ値算出プログラムを主制御部２１に含まれるＲＯＭなどのメモリに記憶させておき、このプログラムを実行することによって、測定された出力値に基づいてＣＴＦ値を求める。
【００８９】
図６は、本発明の実施の第４の形態である画像読取方法のフローチャートである。このフローチャートは、画像読取装置１あるいは画像読取装置２が処理する処理工程を示す。たとえば保守時などで基本チャートを読ませるときに、ステップＳ１に移る。
【００９０】
ステップＳ１では、基本チャートを読み取って、各ラインセンサの出力値を測定し、測定した出力値に基づいてＣＴＦ値を算出する。算出したＣＴＦ値は、主制御部２１に含まれるメモリに記憶する。このＣＴＦ値は、たとえば予め装置の製造時に算出しておき、主制御部２１に含まれるメモリに記憶させておいてもよいし、ＤＩＰ  ＳＷなどに設定しておいて、主制御部２１によって参照することができるようにしておいてもよい。ステップＳ２では、算出したＣＴＦ値が最も悪いラインセンサを、ラインセンサが画像を読み取る読み取り周期の整数倍の時間ラインセンサの出力を遅延させる基準ラインセンサとして選択する。
【００９１】
ステップＳ３では、画像を縮小するために読み取り速度を上げて読み取る際、選択された基準ラインセンサを基準にして、各ラインセンサの遅延時間を算出する。ステップＳ４では、算出した遅延時間を各ラインメモリユニットに指示する。ステップＳ５では、ラインメモリユニットからの出力を画像メモリ２３に記憶して終了する。
【００９２】
このように、評価値の最も悪いラインセンサを基準ラインセンサつまりラインセンサが画像を読み取る読み取り周期の整数倍の時間出力を遅延させるラインセンサにするので、評価値の最も悪いラインセンサの出力の補間を行なう必要がなく、補間による出力の悪化を防ぐことができる。したがって、画像を縮小するために移動速度を上げて読み取る際に、評価値の悪いラインセンサがあっても、補間によって生じる細線の色彩変化を抑えることができる。
【図面の簡単な説明】
【００９３】
【図１】本発明の実施の形態である画像読取装置１の概略の構成を示す。
【図２】図１に示したＣＣＤ１１の出力を評価するためのＣＴＦの求め方を示す。
【図３】図１に示した各ラインメモリユニットの出力値の時間推移を示す。
【図４】本発明の実施の第２の形態である画像読取装置１で用いられる遅延量テーブルを示す。
【図５】本発明の実施の第３の形態である画像読取装置２の概略の構成を示す。
【図６】本発明の実施の第４の形態である画像読取方法のフローチャートである。
【図７】第１の従来の技術による画像読取装置９の構成を模式的に示す。
【図８】図７に示したラインセンサ１１ａ〜１１ｃの位置関係と出力の時間関係を示す。
【図９】図７に示したラインメモリユニットＲ１７の構成を示す。
【符号の説明】
【００９４】
１，２，９  画像読取装置
１０，４０，９０  原稿読取部
１１  ＣＣＤ
１２  ラインセンサユニットＢ
１３，１６  ラインセンサユニットＧ
１４，１７  ラインセンサユニットＲ
１５  設定部
２０  本体部
２１  主制御部
２２  画像処理部
２３  画像メモリ
２４  操作表示部
２５  印字部
３０  原稿
３１  原稿台
１７１  ラインメモリ
１７２  セレクタＡ
１７３  セレクタＢ
１７４  補間データ作成ユニット
【図１】
2007158846.tif 000003
【図２】
2007158846.tif 000004
【図３】
2007158846.tif 000005
【図４】
2007158846.tif 000006
【図５】
2007158846.tif 000007
【図６】
2007158846.tif 000008
【図７】
2007158846.tif 000009
【図８】
2007158846.tif 000010
【図９】
2007158846.tif 000011